(57)【要約】【課題】本考案は、パイプ等の支柱を地中に貫入させる際の作業者の負担を軽減させるとともに長い支柱等も貫入可能にする治具を提供することが課題である。【解決手段】  棒状の治具本体２と、前記治具本体を上下方向に置いた場合に、前記治具本体の上端部に着脱自在に設けられる把持部３と、前記治具本体の下部から斜め上に鋭角に突設される支柱挟持部４と、前記支柱挟持部の突設方向において挟持する支柱の直径よりも幅広い間隔にするとともに取付け軸を平行にして前記支柱挟持部の筐体に対抗配置されて設けられる一対の挟持部材５ａ，５ｂと、前記治具本体の下部と前記支柱挟持部の挟持部材との間の位置において、前記支柱挟持部の筐体の側方部から水平に突設される足掛けバー６とからなる支柱用貫入治具１とするものである。【選択図】図１
0003171605.tif 000002
【実用新案登録請求の範囲】
【請求項１】
棒状の治具本体と、
前記治具本体を上下方向に置いた場合に、
前記治具本体の上端部に着脱自在に設けられる把持部と、
前記治具本体の下部から斜め上に鋭角に突設される支柱挟持部と、
前記支柱挟持部の突設方向において挟持する支柱の直径よりも幅広い間隔にするとともに取付け軸を平行にして前記支柱挟持部の筐体に対抗配置されて設けられる一対の挟持部材と、
前記治具本体の下部と前記支柱挟持部の挟持部材との間の位置において、当該支柱挟持部の筐体側方部から水平に突設される足掛けバーとからなること、
を特徴とする支柱用貫入治具。
【請求項２】
治具本体の上下方向の途中に設けられる鍔部と、
前記治具本体の鍔部と把持部との間で治具本体に嵌装されスライド自在に設けられるスライドハンマーと、
前記治具本体の下部の端部に杭頭に対応した形状して設けられる杭頭受け部とからなること、
を特徴とする請求項１に記載の支柱用貫入治具。
【請求項３】
一対の挟持部材は、表層にゴム部を有したローラであるとともに、中央部が細径となる鼓形であること、
を特徴とする請求項１または２に記載の支柱用貫入治具。
【請求項４】
足掛けバーは、支柱挟持部の筐体における左右側方部のうち少なくとも片側に設けられた取付け手段によって、いずれか一方の側方部に任意に取付け可能であること、若しくは、前記筐体における左右側方部にそれぞれ取り付けられていること、
を特徴とする請求項１乃至３のいずれかに記載の支柱用貫入治具。
【考案の詳細な説明】
【技術分野】
【０００１】  本考案は、例えば、園芸用のトンネルハウス等に使用する合成樹脂製パイプ等の支柱を地中に慣入させる支柱用慣入治具に関するものである。
【背景技術】
【０００２】  従来、トンネルハウスやビニールハウスの支柱・骨組となる合成樹脂製のパイプを土壌に差し込むには、農作業者が手作業で差し込んでいる。しかし、差し込むべきパイプの数量が多くなったり、土壌が硬くなったりすると、作業者への負担が大きくなる。そこで、簡単な治具・装置等を作成することで、作業者の労力負担を軽減するようにしている。そのような支柱を土壌に差し込む治具として、例えば、特許文献１に記載されているように、上下に長い本体筒の途中における側面に、上下２箇所に左右に伸びたレバーを設け、前記本体筒下部に設けた開口部に支柱の頭部を差込み、前記レバーに手足を載せて、前記支柱を地中に押し込むようにした押し込み器が知られている。
【先行技術文献】
【特許文献】
【０００３】
【特許文献１】特開２０１０−２２０５９９号公報
【考案の概要】
【考案が解決しようとする課題】
【０００４】  しかし、従来の押し込み器（治具）は、本体筒の下端部に設けた開口部に、地中に押し込もうとする支柱の一端側を差し込む必要があるので、支柱の形態や直径の大きさ等に制限され、長さの短い支柱であることなどの制約があって、長い支柱には適用できないという不都合がある。本考案に係る支柱用貫入治具は、このような課題を解決するために提案されたものである。
【課題を解決するための手段】
【０００５】  本考案に係る支柱用貫入治具の上記課題を解決してその目的を達成するための要旨は、棒状の治具本体と、前記治具本体を上下方向に置いた場合に、前記治具本体の上端部に着脱自在に設けられる把持部と、前記治具本体の下部から斜め上に鋭角に突設される支柱挟持部と、前記支柱挟持部の突設方向において挟持する支柱の直径よりも幅広い間隔にするとともに取付け軸を平行にして前記支柱挟持部の筐体に対抗配置されて設けられる一対の挟持部材と、前記治具本体の下部と前記支柱挟持部の挟持部材との間の位置において、前記支柱挟持部の筐体の側方部から水平に突設される足掛けバーとからなることである。【０００６】  前記治具本体の上下方向の途中に設けられる鍔部と、前記治具本体の鍔部と把持部との間で治具本体に嵌装されスライド自在に設けられるスライドハンマーと、前記治具本体の下部の端部に杭頭に対応した形状して設けられる杭頭受け部とからなることである。【０００７】  前記一対の挟持部材は、表層にゴム部を有したローラであるとともに、中央部が細径となる鼓形であることである。【０００８】  前記足掛けバーは、支柱挟持部の筐体における左右側方部のうち少なくとも片側に設けられた取付け手段によって、いずれか一方の側方部に任意に取付け可能であること、若しくは、前記筐体における左右側方部にそれぞれ取り付けられていることである。
【考案の効果】
【０００９】  本考案の支柱用貫入治具によれば、一対の挟持部によって直径の異なる支柱や長い支柱であっても容易に挟み込むことができて、地中に支柱を貫入させることができる。よって、トンネルハウス用の湾曲している長い支柱であっても簡単に貫入できるものである。【００１０】  また、治具本体の途中に設けた鍔部とスライドハンマーにより、足の弱い作業者でも前記スライドハンマーを前記鍔部に落下・衝突させてその衝撃力により、支柱を地中に貫入させることができる。【００１１】  一対の挟持部材を表層にゴム部を有したローラとして中央部が細径となる鼓形にすることで、挟持する支柱の表面を傷つけずに、鼓形にして安定してしっかりと挟持することができるので、貫入作業の安定性が向上する。【００１２】  さらに、足掛けバーは、挟持部材の筐体における左右側方部に設けられた取付け手段によって、いずれか一方の側方部に任意に取付け可能であることにより、作業者の利き足にあわせて任意に設定することができる。また、前記筐体における左右側方部にそれぞれ足掛けバーを取り付けることで、いずれの利き足でも作業が可能なので、片側一箇所に取り付けた足掛けバーを作業者の利き足に合うよう反対側に付け替えることなく、直ちに貫入治具を使用することができる。
【図面の簡単な説明】
【００１３】
【図１】  本考案に係る支柱用慣入治具１の概略構成を示す斜視図である。
【図２】  同本考案に係る支柱用慣入治具１の正面図である。
【図３】  同本考案に係る支柱用慣入治具１の左側面図である。
【図４】  同本考案に係る支柱用慣入治具１の平面図である。
【図５】  同本考案に係る支柱用慣入治具１の一部を拡大して示す正面図である。
【図６】  同本考案に係る支柱用慣入治具１に支柱９を横方向から差し込んで挟持する状態を示す説明図である。
【図７】  同本考案に係る支柱用慣入治具１の使用状態を示す説明図（Ａ），（Ｂ）である。
【図８】  同本考案に係る支柱用慣入治具１にスライドハンマー８を装着して、衝撃力で支柱９を貫入させる様子を示す説明図である。
【図９】  同本考案に係る支柱用慣入治具１で鉄杭１１を貫入させる様子を示す説明図である。
【考案を実施するための形態】
【００１４】  本考案に係る支柱用慣入治具１は、支柱をその側方から挟持部によって挟持して、作業者の体重を前記治具１にかけて、支柱を地中に貫入させるものである。
【実施例１】
【００１５】  本考案に係る支柱用慣入治具１は、図１乃至図４に示すように、作業者の身長に合わせた、例えば、長さが１ｍ〜１．５ｍ程度で、金属製で全体が細い棒状の治具本体２と、前記治具本体２を上下方向に置いた場合に、前記治具本体２の上端部に着脱自在に設けられる把持部３と、前記治具本体２の下部から斜め上に鋭角θ（３０°〜４５°程度）に突設される金属製の支柱挟持部４と、前記支柱挟持部４の突設方向において挟持する支柱９の直径よりも幅広い間隔ａにするとともに取付け軸ｂ，ｃを平行にして前記支柱挟持部４の筐体４ａ，４ｂに対抗配置されて設けられる一対の挟持部材５ａ，５ｂと、前記治具本体２の下部と前記支柱挟持部４の挟持部材５ａ，５ｂとの間の位置において、当該支柱挟持部４の筐体４ａの側方部から水平に突設される足掛けバー６とからなる。【００１６】  また、図１乃至図２に示すように、前記治具本体２の上下方向の途中に設けられる鍔部７と、前記治具本体２の鍔部７と把持部３との間にスライド自在に治具本体２に嵌装して設けられるスライドハンマー８と、前記治具本体２の下部の端部に、地中に打ち込む杭１１の杭頭１１ａに対応した形状して設けられる杭頭受け部１０とからなる。【００１７】  前記一対の挟持部材５ａ，５ｂは、図２と図５とに示すように、少なくとも表層に所要厚さのゴム部を有したローラである。このローラ５ａ，５ｂは、回転しない固定されたローラである。このローラは、支柱９との繰り返しの摩擦による磨耗を考慮すれば、当接位置が変わるように固定用ネジなどを緩めて回転させて、新しい当接位置になるようにして固定するのが好ましい。更に、このローラ５ａ，５ｂは、その中央部が細径となる鼓形に形成されている。挟持する支柱９をローラ５ａ，５ｂの各々の中央部で安定して挟持するためである。【００１８】  前記一対の挟持部材であるローラ５ａ，５ｂは、金属製平板の筐体４ａ，４ｂに設けられた取付け孔に貫通するボルト４ｃと、これに螺合されるナット４ｄによって、前記筐体４ａ，４ｂに取り付けられる。図５に示すように、前記ローラ５ａ，５ｂの間に支柱９を挿入しなければならないので、支柱９の直径よりも大きくして間隔ａが設定される。支柱９は、市販されているトンネルハウス用若しくはビニールハウス用の支柱であって、複数種類の直径に対応できる間隔ａになっている。【００１９】  前記一対のローラ５ａ，５ｂを取り付けるボルト４ｃの取付け軸ｂ，ｃは図５に示すように、左右方向に並行であり、一方の筐体４ａには取付け軸ｂ，ｃ用の取付け孔が２箇所に設けられ、他方の筐体４ｂには取付け軸ｃ用の取付け孔が１箇所に設けられている。こうして、支柱９は、ローラ５ａ，５ｂの間の開口部５ｃから左右方向に移動する支柱挟持部４に装着される。なお、上方向からローラ５ａ，５ｂの間に直接差し込んで装着することもできる。【００２０】  前記足掛けバー６は、支柱挟持部４の筐体４ａ，４ｂにおける左右側方部のうち少なくとも片側に設けられた取付け手段（取付け孔やネジ孔等）によって、いずれか一方の側方部に任意に取付け可能である。図５に示すように、この一実施例では筐体４ａに着脱自在に取り付けている。【００２１】  この足掛けバー６の固定方法は、足���けバー６の端部から突出する固定用の棒体にネジ部を設け、筐体４ａ側にネジ孔を設け、これらを螺合させて固定したり、筐体４ａに貫通孔を設けて、足掛けバー６の端部から突出した棒体を貫通させて、そのネジ部にナットを螺合することで固定したりするものである。【００２２】  そのほか、前記足掛けバー６は、前記筐体４ａ，４ｂにおける左右側方部にそれぞれ取り付けられている場合もある。部材の数は増えるが、作業者の利き足のいずれにも対応することができる。また、この場合、足掛けバー６を左右に貫通した１本の棒状態にして、筐体４ａ，４ｂにネジ止め手段や溶接手段によって固定しても良い。【００２３】  以上のようにして形成される本考案の支柱用慣入治具１の使用方法について説明する。図６に示すように、トンネルハウス用のパイプである支柱９の一端部を地中に少し差し込んで、自立させる。そして、支柱用慣入治具１を用意して、支柱挟持部４を前記支柱９に対して横方向から移動させ、挟持部材であるローラ５ａ，５ｂの間隔ａ（図５参照）がある筐体４ｂ側の開口部５ｃから、当該ローラ５ａ，５ｂの間に前記支柱９の一端部を差し入れる。前記支柱挟持部４の地面からの位置は適宜であるが、２０〜４０ｃｍ程度にする。【００２４】  そして、前記支柱挟持部４を少し傾けることでローラ５ａ，５ａｂで支柱９を挟持させる。それとほぼ同時に、図７（Ａ）に示すように、作業者の足を足掛けレバー６に掛けて、治具本体２の把持部３を手で手前に引きながら、作業者の体重を前記足掛けレバー６に掛けることで、図７（Ｂ）に示すように、前記支柱９の一端部を地中に貫入する。【００２５】  作業者は、腰を曲げることなく、支柱９を地中に貫入させることができるものである。ラーラ５ａ，５ｂには表層にゴム層があるので支柱９に傷がつくことも無く、支柱９を曲げてしまうことも無い。支柱用慣入治具１で地中に支柱９を押し込むときに、治具本体２が、ほぼ地面に対して鉛直になっているように、支柱挟持部４と治具本体２との角度θを鋭角にするものである。【００２６】  前記支柱挟持部４における足掛けレバー６が、前記ローラ５ａ，５ｂよりも下位置にあることで、前記足掛けレバー６に下方向の力を加えると、前記一対のローラ５ａ，５ｂが、てこの支点および作用点となって支柱９を挟持するものである。
【実施例２】
【００２７】  作業者の足腰が弱い場合には、図６に示す状態から、把持部３を手で持って支柱用慣入治具１を鉛直方向に立て、図８に示すように、他方の手でスライドハンマー８を上位置にスライドさせて移動させ、そこから、勢い良く下に落とす。このスライドハンマー８が治具本体２の鍔部７に衝突すると、その衝撃力によって支柱９を地中に貫入するものである。前記スライドハンマー８は、通常は使用しないので治具本体２とは別に保管されるが、使用したいときには、治具本体２の把持部３を外して、治具本体２にスライドハンマー８を嵌装させて、把持部３を再び治具本体２に装着するものである。
【実施例３】
【００２８】  このほか、作業者が二人で支柱の慣入作業を行う場合には、一人が支柱９を持ってその支柱の一端部を地面に少し差し込み、他の作業者が支柱用慣入治具１で前記パイプ９を地中に貫入する。また、図９に示すように、Ｌ字型の鉄杭１１（図３参照）を地中に貫入させるには、鉄杭１１の一部を地面に少し差し込んで、その杭頭１１ａにほぼ鉛直に立てた支柱用慣入治具１の下部の杭頭受け部１０を当接させて、足掛けバー６に作業者の足を掛けてそのまま地面に押し込む。これにより、鉄杭１１が容易に地中に貫入される。このように、支柱９ばかりでなく鉄杭１１なども地中に貫入することができる。
【産業上の利用可能性】
【００２９】  本考案に係る支柱用慣入治具１は、トンネルハウス用のパイプに使用して説明したが、条件によっては小型のビニールハウスの支柱に対しても使用できるものであり、鉄杭のほかその他の杭などにも適用できるものである。また、農作業に限らず建築・土木などの工業的作業にも使用できるものである。
【符号の説明】
【００３０】  １          支柱用慣入治具、
２          治具本体、
３          把持部、
４          支柱挟持部、                ４ａ，４ｂ      筐体、
４ｃ        ボルト、                    ４ｄ            ナット、
５ａ，５ｂ  挟持部材（ローラ）、
６          足掛けバー、
７          鍔部、
８          スライドハンマー、
９          支柱、
１０        杭頭受け部、
１１        鉄杭、                      １１ａ          杭頭。
【図１】
0003171605.tif 000003
【図２】
0003171605.tif 000004
【図３】
0003171605.tif 000005
【図４】
0003171605.tif 000006
【図５】
0003171605.tif 000007
【図６】
0003171605.tif 000008
【図７】
0003171605.tif 000009
【図８】
0003171605.tif 000010
【図９】
0003171605.tif 000011